【手続補正書】
【提出日】平成20年9月24日(2008.9.24)
【手続補正１】
【補正対象書類名】特許請求の範囲
【補正対象項目名】全文
【補正方法】変更
【補正の内容】
【特許請求の範囲】
【請求項１】
複数の記録媒体を１枚ずつ分離してから供給経路を介して搬送する供給部と、
前記記録媒体に対し画像記録を行う画像記録部と、
前記画像記録部によって前記記録媒体の表面における第１面に画像記録された当該記録媒体を、裏面における第２面にも画像記録するために前記画像記録部へ再供給して搬送する再供給部と、
前記供給経路における前記画像記録部の上流に配設され、前記供給部又は前記再供給部から搬送された前記記録媒体に対し少なくとも位置合わせを行うレジストレーション部と、
前記画像記録部に対向して設けられ、前記記録媒体の搬送情報を生成するための搬送情報生成部を少なくとも有する搬送機構と、
前記第１面のみ画像記録された前記記録媒体、又は前記第１面及び前記第２面に画像記録された前記記録媒体を搬送して収納する収納部と、
前記画像記録部によって前記第１面に画像記録された前記記録媒体を前記再供給部へ搬送する反転機構を有する反転経路部と、
前記記録媒体の各搬送動作を少なくとも制御する制御部と、
を少なくとも備え、
前記制御部は、前記記録媒体の各搬送時における先行する前記記録媒体と後続する前記記録媒体とのページギャップ値を、連続両面記録、又は連続片面記録、又は連続両面記録・片面記録、それぞれの記録毎に設定することを特徴とする画像記録装置。
【請求項２】
前記収納部は、前記記録媒体を前記収納部、又は前記反転経路部へガイドするための第１の経路切換部を有することを特徴とする請求項１に記載の画像記録装置。
【請求項３】
前記反転経路部は、前記記録媒体を前記反転機構、又は前記再供給部へガイドするための第２の経路切換部を有することを特徴とする請求項１に記載の画像記録装置。
【請求項４】
複数の記録媒体を連続して供給し、先行する前記記録媒体の後端が第１の位置を通過完了するタイミングに所定量以上のページギャップ値を保って、後続する前記記録媒体の先端が当該記録媒体を搬送して収納する収納部に到達する第１の条件を設定し、
前記記録媒体に画像記録を行う画像記録部より上流側における前記記録媒体の供給部又は表面に画像記録された前記記録媒体を裏面にも画像記録するために前記記録媒体を前記画像記録部に再び供給する再供給部に、先行する前記記録媒体と後続する前記記録媒体とが同一時刻に存在せず、且つ先行する前記記録媒体の後端が第２の位置を通過完了するタイミングに所定量以上のページギャップ値を保って、後続する前記記録媒体の先端が前記供給部又は前記再供給部に到達する第２の条件を設定し、
前記記録媒体の表面における第１面を前記記録媒体の裏面における第２面に反転する反転機構の位置で、先行する前記記録媒体と後続する前記記録媒体とが同一時刻に存在せず、且つ先行する前記記録媒体の後端が第３の位置を通過完了するタイミングに所定量以上のページギャップ値を保って、後続する前記記録媒体の先端が前記反転機構の位置に到達する第３の条件を設定し、
前記記録媒体の表面における第１面にのみ画像記録する片面記録の場合には、
前記第１の条件、及び前記第２の条件を満たすスケジューリングに基づき後続する前記記録媒体の搬送開始タイミングを決定し、
前記記録媒体の表面における第１面、及び前記記録媒体の裏面における第２面を含む両面に画像記録する両面記録の場合には、
前記第１の条件、前記第２の条件、及び前記第３の条件を満たすスケジューリングに基づき、後続する前記記録媒体の搬送開始タイミングを決定することを特徴とする画像記録方法。
【請求項５】
前記両面記録と前記片面記録とが連続で記録処理される場合には、前記第１の条件、前記第２の条件、及び前記第３の条件を満たすスケジューリングに基づき、後続する前記記録媒体の搬送開始タイミングを決定することを特徴とする請求項４に記載の画像記録方法。
【請求項６】
前記両面記録の場合における前記ページギャップ値は、前記片面記録の場合におけるページギャップ値よりも大きいページギャップ値が設定されることを特徴とする請求項４に記載の画像記録方法。
【請求項７】
さらに、前記収納部は、前記記録媒体を搬送または排出をする排出・搬送ローラ対を備え、
前記第１の条件設定における第１の位置とは、前記排出・搬送ローラ対の位置であることを特徴とする請求項４に記載の画像記録方法。
【請求項８】
さらに、前記供給部又は前記再供給部から搬送された前記記録媒体に対して位置合わせを行なうレジストレーション部を備え、前記第２の条件設定における第２の位置とは、前記レジストレーション部であることを特徴とする請求項４に記載の画像記録方法。
【請求項９】
さらに、前記反転機構は、前記記録媒体を逆方向に搬送させる反転ローラ対を備え、
前記第３の条件設定における第３の位置とは、前記反転ローラ対の位置であることを特徴とする請求項４に記載の画像記録方法。
【請求項１０】
前記記録媒体に対する前記片面記録と、前記記録媒体に対する前記両面記録とが連続で処理される場合において、
先行する前記記録媒体と、後続する前記記録媒体とが共に、前記片面記録される場合には、予め定められた片面記録用のページギャップ値が選択され、
先行する前記記録媒体と、後続する前記記録媒体のいずれか一方が前記両面記録される場合には、予め定められた両面記録用のページギャップ値が選択され、
前記選択されたページギャップ値に基づき、後続する前記記録媒体の搬送開始タイミングを遅延させるようにスケジューリングすることを特徴とする請求項４に記載の画像記録方法。
【手続補正２】
【補正対象書類名】明細書
【補正対象項目名】００１０
【補正方法】変更
【補正の内容】
【００１０】
さらに、本発明の画像記録方法は、複数の記録媒体を連続して供給し、先行する記録媒体の後端が第１の位置を通過完了するタイミングに所定量以上のページギャップ値を保って、後続する記録媒体の先端が記録媒体を搬送して収納する収納部に到達する第１の条件を設定し、記録媒体に画像記録を行う画像記録部より上流側における記録媒体の供給部又は表面に画像記録された記録媒体を裏面にも画像記録するために記録媒体を画像記録部に再び供給する再供給部に、先行する記録媒体と後続する記録媒体とが同一時刻に存在せず、且つ先行する記録媒体の後端が第２の位置を通過完了するタイミングに所定量以上のページギャップ値を保って、後続する記録媒体の先端が供給部又は再供給部に到達する第２の条件を設定し、記録媒体の表面における第１面を記録媒体の裏面における第２面に反転する反転機構の位置で、先行する記録媒体と後続する記録媒体とが同一時刻に存在せず、且つ先行する記録媒体の後端が第３の位置を通過完了するタイミングに所定量以上のページギャップ値を保って、後続する記録媒体の先端が反転機構の位置に到達する第３の条件を設定し、記録媒体の表面における第１面にのみ画像記録する片面記録の場合には、前記第１の条件、及び第２の条件を満たすスケジューリングに基づき後続する記録媒体の搬送開始タイミングを決定し、記録媒体の表面における第１面、及び記録媒体の裏面における第２面を含む両面に画像記録する両面記録の場合には、前記第１の条件、第２の条件、及び第３の条件を満たすスケジューリングに基づき、後続する記録媒体の搬送開始タイミングを決定することを特徴とする。
【手続補正３】
【補正対象書類名】明細書
【補正対象項目名】００１２
【補正方法】変更
【補正の内容】
【００１２】
以下、図面を参照しながら本発明の実施の形態について説明する。  
図１は、本発明による第１の実施形態における画像記録装置の概略的な構成を示す側面図である。図２は、この画像記録装置のブロック構成を示す図である。以下の説明において、図中、記録媒体の搬送方向をＹ軸方向又は副走査方向とし、この搬送方向と直交する方向をＸ軸方向又は主走査方向又は記録媒体の幅方向としている。また、Ｘ軸及びＹ軸方向におけるＸＹ平面に直交する方向をＺ軸方向又は上下方向とする。
【手続補正４】
【補正対象書類名】明細書
【補正対象項目名】００１６
【補正方法】変更
【補正の内容】
【００１６】
画像記録部３は、例えば複数の記録ヘッドを備え、それぞれに各色インクを吐出してカラー画像記録が可能な構成とする。この複数の記録ヘッドは、例えば４つの記録ヘッド（３Ｋ（黒）、３Ｃ（シアン）、３Ｍ（マゼンタ）及び３Ｙ（黄））をＹ軸方向に所定の間隔で離間して配設されている。制御部８は、画像データに基づき、これら４つの記録ヘッドで記録媒体７に画像記録する。
【手続補正５】
【補正対象書類名】明細書
【補正対象項目名】００２６
【補正方法】変更
【補正の内容】
【００２６】
再供給部２９には、記録媒体７の搬送経路上流側より、再供給ローラ対３１、及び搬送中の記録媒体７の浮き上がりを検出するための浮上検出センサを有する浮上検出機構３２が配設さられている。この浮上検出機構３２は、先端部が回動するように一方が軸支されて設けられ、ばね等の弾性部材により記録媒体７を搬送経路側へ付勢して記録媒体７の浮き上がりを防止している。これら再供給ローラ対３１、及び浮上検出機構３２には、図示しない駆動機構がそれぞれ設けられており、制御部８の制御により駆動される。